(57)【要約】【課題】  全面を広告面として有効利用可能で、しかも面白みを有するとともに安価に製作可能なマグネットバーを提供する。【解決手段】  断面多角形状の中空の細長いケーシング２と、ケーシング２内に遊動自在に内装した磁石３とを有し、ケーシング２にその内部空間を複数の収容空間１３に区画する隔壁１２を設け、間隔をあけて配置される複数の収容空間１３に磁石３を内装するとともに、磁石３のＳ極とＮ極とがケーシング２の長手方向の両側に配置されるように、ケーシング２内に磁石３を内装し、ケーシング２の側面１４を広告等の表示面となした。【選択図】        図２
2006208913.tif 000002
【特許請求の範囲】
【請求項１】
断面多角形状の中空の細長いケーシング内に永久磁石を遊動自在に内装し、ケーシングの側面を表示面となしたマグネットバー。
【請求項２】
前記ケーシングにその内部空間を複数の収容空間に区画する隔壁を設け、間隔をあけて配置される複数の収容空間に永久磁石を内装した請求項１記載のマグネットバー。
【請求項３】
前記永久磁石のＳ極とＮ極とがケーシングの長手方向の両側に配置されるように、ケーシング内に永久磁石を内装した請求項１又は２記載のマグネットバー。
【請求項４】
前記永久磁石のＳ極とＮ極とがケーシングの長手方向の両側に配置されるように、ケーシング内に永久磁石を内装し、この永久磁石のＳ極とＮ極とに永久磁石よりも大きな板状のヨークを取り付けた請求項１〜３のいずれか１項記載のマグネットバー。
【発明の詳細な説明】
【技術分野】
【０００１】
本発明は、紙片等を固定するのに好適に利用可能なマグネットバーに関する。
【背景技術】
【０００２】
磁石により吸着可能なスチール製壁面などの取付壁面に、紙片などからなるシート状の被固定片を固定するための固定具として、リング状や円板状、扁平な長方形状の永久磁石に、その吸着面側を残して磁石を覆う合成樹脂材料からなる被覆部材を外装したものが広く実用化されている（例えば、特許文献１参照。）。
【０００３】
また、前記固定具として、合成樹脂材料からなる細長い棒状部材の一側面に長さ方向に間隔をあけて複数の凹部を形成し、これら複数の凹部に永久磁石をそれぞれ組み付けた紙片固定具も提案されている（例えば、特許文献２、３参照。）。
【０００４】
【特許文献１】特開平７−２２２３４号公報
【特許文献２】登録実用新案第３０４８０６０号公報
【特許文献３】特開２００３−３４１２６７号公報
【発明の開示】
【発明が解決しようとする課題】
【０００５】
前記特許文献１〜３に記載の固定具では、永久磁石の吸着面が固定的に設定されているため、固定具に文字や絵柄をプリントしたり、文字や絵柄をプリントしたシートを固定具の側面に貼り付けたりして、固定具の側面を表示面として利用する場合に、次のような問題がある。即ち、少なくとも永久磁石の吸着面は表示面とすることができず、また吸着面に隣接する面に関しても、表示面とすることは可能ではあるが、視認性を十分に確保することが困難である場合がある。したがって、通常は固定具の吸着面とは反対側の面のみを表示面として活用しており、固定具の側面全面を利用した効果的な表示ができないという問題がある。例えば、販促商品等においては、広告面積を極力増やすことが好ましいが、特許文献１〜３に記載の固定具では、広告面積を十分に確保できないという問題がある。また、被固定具を取付面に固定する基本機能しか有しておらず、遊び心の少ない、面白みに欠けるものであった。
【０００６】
本発明の目的は、全面を広告面として有効利用可能で、しかも面白みを有するとともに安価に製作可能なマグネットバーを提供することである。
【課題を解決するための手段】
【０００７】
本発明に係るマグネットバーは、断面多角形状の中空の細長いケーシング内に永久磁石を遊動自在に内装し、ケーシングの側面を表示面となしたものである。
【０００８】
このマグネットバーでは、磁石により吸着可能なスチール製壁面などの取付壁面とマグネットバー間に、紙片などからなるシート状の被固定片が挟まるように、被固定片とマグネットバーとを取付壁面に取り付けることで、マグネットバーに内装した永久磁石の磁気吸着力によりマグネットバー及び被固定片が取付壁面に吸着保持されることになる。また、このとき永久磁石は、ケーシング内においてその磁気吸着力により取付壁面側へ移動して、マグネットバー及び被固定片を取付壁面に吸着保持するので、小型な永久磁石を用いつつ十分な磁気吸着力を確保できるとともに、断面多角形状のケーシングのどの側面を取付壁面側にした状態でも、被固定片を取付壁面に固定できるので、ケーシングの外面全面に、文字や絵柄をプリントや刻印したり、文字や絵柄をプリントしたシートを貼り付けたりして、表示面として利用することが可能となる。また、マグネットバーを手で持って振ったり、取付壁面上において吸着面が順次切り替わるように転がすと、ケーシング内において永久磁石がカタカタと音を立てて移動するので、被固定片を固定するための固定具としての機能だけでなく、素朴な玩具的な面白みを利用者に提供できる。
【０００９】
ここで、前記ケーシングにその内部空間を複数の収容空間に区画する隔壁を設け、間隔をあけて配置される複数の収容空間に永久磁石を内装することができる。この場合には、永久磁石として小型なものを用いることが可能となり、マグネットバーの製作コストを低減できる。
【００１０】
前記永久磁石のＳ極とＮ極とがケーシングの長手方向の両側に配置されるように、ケーシング内に永久磁石を内装することも好ましい。この場合には、マグネットバーの長手方向周りの側面と取付壁面間における磁気吸着力を全ての側面において一様に設定することができ、一様な磁気吸着力で被固定片を取付壁面に固定することが可能となる。
【００１１】
前記永久磁石のＳ極とＮ極とがケーシングの長手方向の両側に配置されるように、ケーシング内に永久磁石を内装し、この永久磁石のＳ極とＮ極とに永久磁石よりも大きな板状のヨークを取り付けることも好ましい。このように構成すると、マグネットバーの長手方向周りの側面と取付壁面間における磁気吸着力を全ての側面において一様に設定することができ、一様な磁気吸着力で被固定片を取付壁面に固定することが可能となる。また、ヨークによって永久磁石の磁路がケーシングの長手方向の外周側へ延びるように形成されるので、比較的磁力の弱い安価に入手可能な永久磁石であっても、十分な磁気吸着力を確保することが可能となる。
【発明の効果】
【００１２】
本発明に係るマグネットバーによれば、ケーシングの外面全面を表示面として利用することが可能となる。また、ケーシング内において永久磁石がカタカタと音を立てて移動するので、被固定片を固定するための固定具としての機能だけでなく、素朴な玩具的な面白みを利用者に提供できる。更に、ケーシングを不透明に構成すると、内部構造に関する利用者の興味をそそる魅力的な商品を実現できる。
【００１３】
ここで、前記ケーシングにその内部空間を複数の収容空間に区画する隔壁を設け、間隔をあけて配置される複数の収容空間に永久磁石を内装すると、永久磁石として小型なものを用いることが可能となり、マグネットバーの製作コストを低減できる。
【００１４】
また、前記永久磁石のＳ極とＮ極とがケーシングの長手方向の両側に配置されるように、ケーシング内に永久磁石を内装すると、マグネットバーの長手方向周りの側面と取付壁面間における磁気吸着力を全ての側面において一様に設定することができ、一様な磁気吸着力で被固定片を取付壁面に固定することが可能となる。
【００１５】
更に、前記永久磁石のＳ極とＮ極とがケーシングの長手方向の両側に配置されるように、ケーシング内に永久磁石を内装し、この永久磁石のＳ極とＮ極とに永久磁石よりも大きな板状のヨークを取り付けると、マグネットバーの長手方向周りの側面と取付壁面間における磁気吸着力を全ての側面において一様に設定することができ、一様な磁気吸着力で被固定片を取付壁面に固定することが可能となる。また、ヨークによって永久磁石の磁路がケーシングの長手方向の外周側へ延びるように形成されるので、比較的磁力の弱い安価に入手可能な永久磁石であっても、十分な磁気吸着力を確保することが可能となる。
【発明を実施するための最良の形態】
【００１６】
以下、本発明の実施例について図面を参照しながら説明する。
図１〜図３に示すように、マグネットバー１は、断面多角形状の中空の細長いケーシング２と、ケーシング２に遊動自在に内装された複数の永久磁石からなる磁石３とを備え、紙片等の被固定片４を磁石３が吸着する鉄などの金属材料からなる取付壁部５に固定するためのものである。
【００１７】
ケーシング２は、本体部１０と蓋体１１とから構成され、磁石３で吸着しない素材であれば、任意の合成樹脂材料や金属材料で構成できる。また、ケーシング２の断面形状は、正方形や長方形、三角形や六角形など任意の形状に形成できる。更に、ケーシング２の長手方向の両端部は、平坦に構成することも可能であるし、電車等を模した形状に構成することも可能である。また、ケーシング２の長さは、固定する被固定片４のサイズに応じて適宜に設定できる。
【００１８】
本体部１０にはケーシング２内を複数の部屋に区画する隔壁１２が設定間隔おきに設けられている。具体的には、図２に示すように、２枚１組の隔壁１２が間隔をあけて３組設けられ、ケーシング２内は６枚の隔壁１２により７つの空間に区画され、２枚１組の隔壁１２間には磁石３を収容するための収容空間１３が形成されている。本実施例では、１つのマグネットバー１に３つの磁石３を装填する関係上、２枚１組の隔壁１２を３組設けたが、隔壁１２の枚数は、ケーシング２に内装する磁石３の個数に応じて適宜に設定することができる。
【００１９】
但し、本体部１０側の隔壁１２を省略して、蓋体１１側に隔壁１２を設け、閉蓋した状態でケーシング２の内部空間が複数に区画されるように構成することも可能であるし、本体部１０と蓋体１１とに隔壁１２を設け、閉蓋した状態でケーシング２の内部空間が複数に区画されるように構成することも可能である。また、隔壁１２は、磁石３のスライド安定性を確保するために板状に形成することが好ましいが、１乃至複数本の棒状に構成することもできる。更に、隔壁１２に代えて、ケーシング２内に別部材からなるブロック状や箱状の仕切部材を内装固定し、磁石３を収容するための収容空間１３をケーシング２内に形成することも可能である。
【００２０】
蓋体１１は、本体部１０内に磁石３を装填して、本体部１０を閉蓋できるものであれば、任意の構成のものを採用できる。
【００２１】
磁石３としては、アルニコ磁石、フェライト磁石、鉄・クロム・コバルト磁石、マンガン・アルミニウム・カーボン磁石、希土類磁石、ボンド磁石な任意の素材からなる永久磁石を採用できる。また、磁石３の形状は、本実施例では図２に示すように、円柱状に形成したが、立方体や直方体などの多角柱状に形成することも可能である。円柱状に構成した場合には、ケーシング２の断面形状が例えば三角形など、正方形や長方形以外の場合に好適に利用でき、立方体や直方体などの多角柱状に構成した場合には、磁石３がケーリング２の内面に面的に接触して、強い磁力でマグネットバー１を取付壁部５に吸着保持させることができる。
【００２２】
磁石３は、磁石３のＳ極とＮ極とがケーシング２の長手方向と直交する線分上に配置されるように構成することも可能であるが、ケーシング２の長手方向周りにおける４つの側面１４の磁気吸着力をそれぞれ一様に設定するため、磁石３の軸方向をケーシング２の長手方向に向け、Ｓ極及びＮ極がケーシング２の長手方向の両側に配置されるように収容空間１３内に装填されている。磁石３と隔壁１２間には僅かな隙間が形成され、収容空間１３内において磁石３はその軸方向をケーシング２の長手方向にした状態で自由に移動できるが、軸心がケーシング２の長手方向以外の方向には向かないように隔壁１２により案内されている。磁石３の個数は、固定する被固定片４のサイズや厚さ等に応じて任意の個数に設定することができる。
【００２３】
ケーシング２の長手方向周りにおける４つの側面１４には、文字や絵柄などが直接的にプリントしたり刻印したりした表示面が形成されている。但し、文字や絵柄をプリントしたシートやフィルムをケーシング２に貼り付けて、表示面を形成することもできるし、加熱により収縮するフィルムに文字や絵柄をプリントして筒状に形成し、これをケーシング２に外装させた状態でフィルムを熱収縮させて、ケーシング２にフィルムを一体的に外装することによって、文字や絵柄を形成した表示面を設けることもできる。プリントしたり刻印したりする文字や絵柄は、マグネットバー１の使用目的などに応じて任意に設定可能で、例えば販促商品として用いる場合には商品広告をプリントしたり刻印した表示面を設け、子供向けの文具として用いる場合には、各種アニメーションのキャラクター等をプリントしたり刻印した表示面を設けることができる。また、マグネットバー１全体が列車やトレーラー等を模したデザインとなるように、文字や絵柄等をプリントしたり刻印したりすることも可能である。更に、ケーシング２の長手方向の両端面を表示面として活用することも可能である。
【００２４】
このマグネットバー１では、取付壁部５とマグネットバー１間に紙片などからなるシート状の被固定片４が挟まるように、被固定片４とマグネットバー１とを取付壁部５に取り付けることで、マグネットバー１に内装した磁石３がその磁気吸着力によりケーシング２内において取付壁部５側へ移動し、磁石３の磁気吸着力によりマグネットバー１及び被固定片４が取付壁部５に吸着保持され、被固定片４が取付壁部５に固定されることになる。
【００２５】
このように、ケーシング２内において磁石３が取付壁部５側へ移動できるので、小型な磁石３を用いつつ十分な磁気吸着力を確保できるとともに、断面多角形状のケーシング２のどの側面を取付壁部５側にした状態でも、被固定片４を一様な吸着力で取付壁部５に固定できる。このように、ケーシング２の長手方向周りにおける４つの側面１４のそれぞれにおいて、一様な磁気吸着力でマグネットバー１を吸着できるので、これら４つの側面１４を文字や絵柄をプリントしたり刻印してなる表示面として活用することが可能となる。また、マグネットバー１を手で持って振ったり、取付壁部５上において吸着面が順次切り替わるように転がすと、ケーシング２内において磁石３がカタカタと音を立てて移動するので、被固定片４を固定するための固定具としての機能だけでなく、素朴な玩具的な面白みを利用者に提供できる。
【００２６】
尚、永久磁石単体からなる磁石３に代えて、図４に示す磁石３Ａ、３Ｂのように、円柱状や立方体や直方体状の永久磁石２０Ａ、２０Ｂと、永久磁石２０Ａ、２０Ｂよりも大径の円板状の２枚のヨーク２１とを備え、永久磁石２０Ａ、２０ＢのＳ極側及びＮ極側の両側面に、接着剤等によりヨーク２１を固定したものを採用することも可能である。この場合には、マグネットバー１の長手方向周りにおいける４つの側面１４と取付壁部５間における磁気吸着力を全ての側面１４において一様に設定することができ、一様な磁気吸着力で被固定片４を取付壁部５に固定することが可能となる。また、ヨーク２１によって永久磁石２０Ａ、２０Ｂの磁路がケーシング２の側面１４へ向けられるので、比較的磁力の弱い安価に入手可能な永久磁石２０Ａ、２０Ｂであっても、十分な磁気吸着力を確保することが可能となる。尚、ヨーク２１としては、永久磁石２０Ａ、２０ＢにおけるＳ極側及びＮ極側の側面よりも多少大きなサイズのものであれば長方形や正方形など、円形以外の多角形板状に形成したものを採用することもできる。
【図面の簡単な説明】
【００２７】
【図１】マグネットバーの使用状態の説明図
【図２】マグネットバーの斜視図
【図３】図１のIII-III線断面図
【図４】（ａ）（ｂ）は他の実施例に係る磁石の斜視図
【符号の説明】
【００２８】
１      マグネットバー        ２      ケーシング
３      磁石                  ４      被固定片
５      取付壁部
１０    本体部                １１    蓋体
１２    隔壁                  １３    収容空間
１４    側面
３Ａ    磁石                  ３Ｂ    磁石
２０Ａ  永久磁石              ２０Ｂ  永久磁石
２１    ヨーク
【図１】
2006208913.tif 000003
【図２】
2006208913.tif 000004
【図３】
2006208913.tif 000005
【図４】
2006208913.tif 000006